(57)【要約】【課題】店舗内のテーブルに着席した顧客が店員を呼び出す際、テーブルに設けられた送信機を操作することにより、迅速かつ円滑に店員を呼び出すことができる店員呼出システムを提供する。【解決手段】本発明の店員呼出システムＡは、店舗内の顧客が着席するテーブルに設けられ、店員を呼び出す呼出信号ｍ１を送信する送信機１と、呼出信号ｍ１は、テーブルの識別情報を含み、送信機１から送信された呼出信号ｍ１を受信する受信機２と、この受信機２が受信したテーブルの識別情報を、このテーブルの識別情報に対応させて店員を呼び出す呼出音声信号ｍ２に変換する情報処理装置３と、呼出音声信号ｍ２を無線通信により送信する通信手段４と、店舗内の店員が携帯し、通信手段４により送信された呼出音声信号ｍ２を受信する携帯端末５と、この携帯端末５は、呼出音声信号ｍ２を音声により出力する音声出力手段５１を備えているものである。【選択図】図１
2009048390.tif 000002
【特許請求の範囲】
【請求項１】
店舗内の顧客が着席するテーブルに設けられ、店員を呼び出す呼出信号を送信する送信機と、
前記呼出信号は、前記テーブルの識別情報を含み、
前記送信機から送信された呼出信号を受信する受信機と、
この受信機が受信した前記テーブルの識別情報を、前記テーブルの識別情報に対応させて店員を呼び出す呼出音声信号に変換する情報処理装置と、
前記呼出音声信号を無線通信により送信する通信手段と、
前記店舗内の店員が携帯し、前記通信手段により送信された前記呼出音声信号を受信する携帯端末と、
この携帯端末は、前記呼出音声信号を音声により出力する音声出力手段を備えていることを特徴とする店員呼出システム。
【請求項２】
通信手段は、送受信機能を有し、
携帯端末は、マイクと、送受信機能を有し、
前記携帯端末は、複数であり、
前記各携帯端末は、前記通信手段を介して前記携帯端末間で音声を送受信できることを特徴とする請求項１記載の店員呼出システム。
【請求項３】
音声出力手段は、イヤホンまたは骨伝導スピーカであることを特徴とする請求項１記載の店員呼出システム。
【請求項４】
受信機に接続され、送信機から送信されたテーブルの識別情報を表示する呼出表示装置を備えていることを特徴とする請求項１記載の店員呼出システム。
【発明の詳細な説明】
【技術分野】
【０００１】
本発明は、店舗内のテーブルに着席した顧客が店員を呼び出す際、テーブルに設けられた送信機を操作することにより、迅速かつ円滑に店員を呼び出すことができる店員呼出システムに関する。
【背景技術】
【０００２】
従来、飲食店などの店舗に来店した顧客が、着席したテーブルから店員を呼び出す場合、テーブルに設けられた送信機を操作し、この送信機からテーブルの識別情報を含んだ呼出信号を送信し、送信された呼出信号を受信機により受信して、呼出のあったテーブルを呼出表示装置により表示させて店員に知らせる店員呼出システムが用いられていた（例えば、特許文献１の図１参照）。
【特許文献１】特開平１１−１６１８５９号公報
【発明の開示】
【発明が解決しようとする課題】
【０００３】
しかしながら、上述した店員呼出システムにあっては、店員は、呼出表示装置が設置してある場所に出向いて呼出のあったテーブルの表示を確認しなければならないという煩雑さがあり、特に、繁忙時は呼出表示装置を見に行けないこともあり、顧客からの呼び出しに対応して迅速な接客ができないという問題点があった。
【０００４】
本発明は、上述した問題点を解決するためになされたものである。
【課題を解決するための手段】
【０００５】
請求項１に係る発明は、店舗内の顧客が着席するテーブルに設けられ、店員を呼び出す呼出信号を送信する送信機と、前記呼出信号は、前記テーブルの識別情報を含み、前記送信機から送信された呼出信号を受信する受信機と、この受信機が受信した前記テーブルの識別情報を、前記テーブルの識別情報に対応させて店員を呼び出す呼出音声信号に変換する情報処理装置と、前記呼出音声信号を無線通信により送信する通信手段と、前記店舗内の店員が携帯し、前記通信手段により送信された前記呼出音声信号を受信する携帯端末と、この携帯端末は、前記呼出音声信号を音声により出力する音声出力手段を備えている店員呼出システムである。
【０００６】
請求項２に係る発明は、請求項１記載の店員呼出システムにおいて、通信手段は、送受信機能を有し、携帯端末は、マイクと、送受信機能を有し、前記携帯端末は、複数であり、前記各携帯端末は、前記通信手段を介して前記携帯端末間で音声を送受信できるものである。
【０００７】
請求項３に係る発明は、請求項１記載の店員呼出システムにおいて、音声出力手段は、イヤホンまたは骨伝導スピーカであるものである。
【０００８】
請求項４に係る発明は、請求項１記載の店員呼出システムにおいて、受信機に接続され、送信機から送信されたテーブルの識別情報を表示する呼出表示装置を備えているものである。
【発明の効果】
【０００９】
請求項１記載の店員呼出システムによれば、店舗内の店員が携帯し、通信手段により送信された呼出音声信号を受信する携帯端末と、この携帯端末は、呼出音声信号を音声により出力する音声出力手段を備えているため、店員は、呼出のあったテーブルの識別情報を携帯端末により音声で認識することができ、店員は、顧客の呼び出しに対応して迅速に接客をすることができる。
【００１０】
請求項２記載の店員呼出システムによれば、請求項１に記載の発明の効果に加え、通信手段は、送受信機能を有し、携帯端末は、マイクと、送受信機能を有し、携帯端末は、複数であり、各携帯端末は、通信手段を介して携帯端末間で音声を送受信できるため、顧客の呼び出しに対応する店員が、他の店員に対し、自分が対応する旨を音声で伝達したり、一の店員が、他の店員に対して、顧客の呼び出しに対応するよう指示を出したりすることができ、他の店員との円滑な連携を図ることができる。
【００１１】
請求項３に記載の店員呼出システムによれば、請求項１に記載の発明の効果に加え、音声出力手段は、イヤホンまたは骨伝導スピーカであるため、静かな店舗内にあっては音を立てずに顧客の呼出を聞き取ることができ、騒音の大きい店舗内であっては周囲の雑音にかかわらず確実に顧客の呼出を聞き取ることができ、顧客の呼び出しに対して迅速な接客を行うことができる。
【００１２】
請求項４に記載の店員呼出システムによれば、請求項１に記載の発明の効果に加え、受信機に接続され、送信機から送信されたテーブルの識別情報を表示する呼出表示装置を備えているため、顧客の呼出のあったテーブルの識別情報を、音声に加えて目視でも確認することができ、音声による認識を補助して、より一層確実な接客を行うことができる。
【発明を実施するための最良の形態】
【００１３】
本発明の一実施例を、図１〜図３に基づき説明する。図１において、Ａは店員呼出システムであり、店員呼出システムＡは、概略的に、送信機１と、受信機２と、情報処理装置３と、通信手段４と、携帯端末５とにより構成される。
【００１４】
送信機1は、例えば、飲食店などの店舗において、店舗内の顧客が着席するテーブルに設けられ、料理の注文をするときなど、店員を呼び出す際に、顧客が操作して店員を呼び出す呼出信号ｍ１を送信するものであり、例えば、押しボタン式のような顧客が簡易に操作できるもので、呼出信号ｍ１は、無線通信または有線通信により受信機２に送信される。この呼出信号ｍ１は、店員を呼び出している顧客の着席するテーブルの番号など、テーブルを識別するためのテーブルの識別情報を含んでいる。
【００１５】
受信機２は、送信機１から送信された呼出信号ｍ１を受信するものであり、受信した呼出信号ｍ１は情報処理装置３に送信される。この受信機２は、呼出信号ｍ１が無線送信により送信される場合にあっては、店舗内に呼出信号ｍ１を受信するための一又は二以上の受信用のアンテナ（図１では、一のアンテナを設けたものを例示）が設けられ、呼出信号ｍ１が有線送信により送信される場合にあっては、受信機２と各テーブルの送信機１とがケーブル（図示せず）により接続される。
【００１６】
情報処理装置３は、受信機２が受信したテーブルの識別情報を、このテーブルの識別情報に対応させて店員を呼び出す呼出音声信号ｍ２に変換するものであり、具体的には、図２に示したように、テーブルの識別情報を受信機２から取得するテーブル情報取得部３１と、情報処理装置３を制御する制御部３２と、呼出音声信号ｍ２の電子データを記憶した音声信号記憶部３３と、呼出音声信号ｍ２を通信手段４に送信する音声信号送信部３４とを備えている。
【００１７】
通信手段４は、呼出音声信号ｍ２を無線通信により送信するものであり、図１に示したように、通信手段４に設けられたアンテナ４ａを介して携帯端末５に呼出音声信号ｍ２が送信される。なお、このアンテナ４ａは、店舗内の一又は二箇所以上に設けられ、無線通信に支障が出ないような適所に配設される。
【００１８】
携帯端末５は、店舗内の店員が携帯し、通信手段４により送信された呼出音声信号ｍ２を受信するものであり、具体的には、携帯端末５に設けられた携帯端末通信手段５３により呼出音声信号ｍ２が受信される。
【００１９】
また、携帯端末５は、呼出音声信号ｍ２を音声により出力する音声出力手段５１を備えている。この音声出力手段５１は、外部に音を発するスピーカを用いることもできるが、好適には、イヤホン（ヘッドホンを含み、耳に直接装着して音声を伝達するものであって、外部に音が漏れず、耳を介して音声を伝達するもの）や頭部に当接して音声を伝達する骨伝導スピーカ（例えば、特許第２９６７７７７号のもの）などのヘッドセットであって、いわゆるハンズフリーのものが用いられる。
【００２０】
次に、上述した実施例に係る店員呼出システムＡの作用について、店舗が飲食店である場合を例にとって説明する。
【００２１】
顧客が店舗内のテーブルに着席した後、例えば、飲食する料理を注文するとき、あるいは、追加の注文や用事を頼むときなどに店員を呼び出す際、顧客がテーブルに設けられた送信機１を操作する。
【００２２】
そして、送信機１から送信された呼出信号ｍ１を受信機２で受信し、受信した呼出信号ｍ１が情報処理装置３に送られると、この情報処理装置３において、テーブル識別情報取得部３１が取得したテーブルの識別情報に基づき、制御部３２の動作により、該テーブルの識別情報に対応した呼出音声信号ｍ２が音声信号記憶部３３から読み出され、読み出された呼出音声信号ｍ２は、音声信号送信部３４を介して通信手段４に送信される。
【００２３】
前述の呼出音声信号ｍ２は、例えば、テーブルの番号や客室の名称などの音声と、店員を呼び出す旨の音声とが組み合わされた音声信号である。
【００２４】
そして、通信手段４により受信した呼出音声信号ｍ２は、アンテナ４ａを介して携帯端末５に送信され、携帯端末５の携帯端末通信手段５３によりこの呼出音声信号ｍ２を受信した後、音声出力手段５１により音声に変換され、この音声により店員に呼び出しがあったテーブルおよび呼び出しがあった旨が伝えられる。
【００２５】
したがって、店員は、顧客からの送信機１による呼び出しがあった後、即座に呼び出しを認識することができ、この呼び出しに対応して迅速に接客をすることができる。特に、ハンズフリーのイヤホンや骨伝導スピーカを用いた場合には、例えば、繁忙時にあって配膳で両手がふさがり、手を使って携帯端末５を操作できないときであったとしても、確実に顧客の呼出を聞き取ることができ、顧客の呼び出しに対応して迅速な接客を行うことができる。
【００２６】
ところで、上述した店員呼出システムＡにおいて、通信手段４は、送受信機能を有し、携帯端末５は、マイク５２と、送受信機能を有し、携帯端末５は、複数であり、各携帯端末５は、通信手段４を介して携帯端末５、５、・・間で店員が話す音声（通話者音声信号ｍ３）を送受信できるようにしてもよい。前述の送受信機能は、周知の送信回路と周知の受信回路とにより具備され、携帯端末５にあっては、携帯端末通信手段５３に設けられる。
【００２７】
このような複数の携帯端末５、５、・・を備える店員呼出システムＡにあっては、顧客の呼び出しに対応する店員が、他の店員に対し、自分が対応する旨を音声で伝達したり、一の店員が、他の店員に対して、顧客の呼び出しに対応するよう指示を出したりすることができるため、複数の店員が重複して同じ顧客に対応することを防止することができ、他の店員との円滑な連携を図ることができる。
【００２８】
また、上述した店員呼出システムＡにおいて、図３に示したように、受信機２に接続され、送信機１から送信されたテーブルの識別情報を表示する呼出表示装置６を備えさせる構成としてもよい。この呼出表示装置６には、公知のもの（例えば、特開平１１−１６１８５９号公報記載の図１のものなど）を使用することができる。
【００２９】
かかる店員呼出システムＡにあっては、前述のように、受信機２が受信したテーブルの識別情報を、呼出信号ｍ１として情報処理装置３に送信して、携帯端末５を介して音声による呼び出しを行うと共に、店舗内の適所（例えば、顧客からは見えず、店舗内の雰囲気を壊さないような場所）に設けられた呼出表示装置６により表示させることにより、音声に加えて目視でも呼び出しのあったテーブルを確認することができ、音声による認識を補助して、より一層確実な接客を行うことができる。
【図面の簡単な説明】
【００３０】
【図１】本発明の店員呼出システムの構成を示した図である。
【図２】図１の情報処理装置の構成を示したブロック図である。
【図３】図１の他の実施例を示した図である。
【符号の説明】
【００３１】
Ａ      店員呼出システム
ｍ１    呼出信号
ｍ２    呼出音声信号
ｍ３    通話者音声信号
１      送信機
２      受信機
３      情報処理装置
４      通信手段
５      携帯端末
５１    音声出力手段
５２    マイク
６      呼出表示装置
【図１】
2009048390.tif 000003
【図２】
2009048390.tif 000004
【図３】
2009048390.tif 000005